(57)【特許請求の範囲】
【請求項１】
無線信号の送受信を行う第１の送受信回路部と、被検知対象の状態を検知する検知部と、該検知部の検知信号に基づく情報を上記第１の送受信回路部から無線信号により送信させる第１の信号処理手段とを備え、電池電源によって動作する１乃至複数のセンサ部と、無線信号の送受信を行う第２の送受信回路部と、該第２の送信回路部で受信した上記センサ部からの情報により判断処理を行う第２の信号処理手段とを備え、該第２の信号処理手段により動作モードが判断処理を行う警戒モード又は該判断処理をキャンセルする非警戒モードに切り換え設定されるコントローラ部により構成されるワイヤレスセンサシステムにおいて、上記コントローラ部の上記第２の信号処理手段には上記動作モードが切り換え設定されると、設定情報を上記第２の送受信回路部より無線信号により送信させる機能を備え、上記センサ部の上記第１の信号処理手段には上記第１の送受信回路部で受信した上記コントローラ部からの設定情報が非警戒モード時には上記検知部の検知に基づく情報の送信を停止させる機能を備え、
上記センサ部の電源投入時に当該センサ部の上記第１の送受信回路部から上記コントローラ部へ電源投入した情報を送信させる手段を備え、センサ部から送信された上記電源投入した情報を上記第２の送受信回路部で受信すると、当該センサ部ヘ確認の信号を上記第２の送受信回路部から送信させる手段を上記コントローラ部に備え、上記コントローラ部からの確認の信号を受信した当該センサ部ではその受信タイミングを同期基準タイミングとして、該同期基準タイミングから一定時間毎にコントローラ部からの信号を受信可能なように上記第１の送受信回路部の受信ゲートを設定することを特徴とするワイヤレスセンサシステム。
【請求項２】
上記コントローラ部から送信される信号を受信する毎に、上記センサ部では上記コントローラ部からの信号を受信可能なように第１の送受信回路部の受信ゲートを設定する同期基準タイミングをセットすることを特徴とする請求項１記載のワイヤレスセンサシステム。
【請求項３】
上記センサ部では、任意の一定時間毎に上記コントローラ部からの信号を受信可能なように、上記第１の送受信回路部の受信ゲートを設定する同期基準タイミングをセットすることを特徴とする請求項１記載のワイヤレスセンサシステム。
【請求項４】
上記任意の時間を発生する手段として電波時計を利用したことを特徴とする請求項３記載のワイヤレスセンサシステム。
【請求項５】
上記任意の時間を発生する手段としてＧＰＳの電波を利用したことを特徴とする請求項３記載のワイヤレスセンサシステム。
【請求項６】
上記コントローラ部では上記動作モードの切り換え設定時に、任意の送信オン／オフ繰り返し周期で設定情報を第２の送受信回路部から任意の時間だけ送信させ、上記センサ部では常時、上記任意の時間よりも短い任意の周期で一定時間だけ上記第１の送受信回路部の受信機能を起動することを特徴とする請求項１記載のワイヤレスセンサシステム。
【発明の詳細な説明】
【０００１】
【発明の属する技術分野】
本発明は、ワイヤレスセンサシステムに関するものである。
【０００２】
【従来の技術】
従来のワイヤレスセンサシステムは図８に示すように監視領域内の被検知対象の状態を検知するセンサ部２群と、各種の端末３と、コントローラ部４とで構成される。
【０００３】
コントローラ部４は、前記センサ部２１…群から送信される検知情報を受信する受信手段及び、各種の端末３へ制御信号を無線信号で送信する送信手段とを内蔵した送受信回路部４０と、信号処理と制御処理を行う信号処理手段たる主ＣＰＵ４１と、商用電源を入力して所定の電圧に変換する電源回路部４２と、バックアップ用の電池電源ＢＴ１と、表示回路部４３と、有線でセンサ部２１…からの検知情報を入力するセンサ入力部４４と、電話回線５を介して警備会社等に検知情報や監視状況の情報を送信する電話回線制御ＣＰＵ４５と、外部の各種情報端末６とＲＳ−４８５などの汎用の規格で通信するためのＲＳ−４８５ＣＰＵ４６と、スピーカＳＰへ出力する警報音声の制御を行う音声制御・出力部４７と、操作部（図示せず）に設けたキー操作信号を入力するキー入力回路部４８と、電源電圧を監視して電源投入時のように電源電圧が所定値より低い状態から所定値に上昇したときに主ＣＰＵ４１のリセット状態を解除する電圧監視リセット回路部４９と、データやプログラムを格納するメモリＭ１と、アンテナＡＴとで構成される。
【０００４】
センサ部２としては、人体熱検知センサ、侵入センサ、ガラス破壊センサ、ガスセンサ、火災センサ、その他生活に便利さを与えるためのセンサ等があり、その構成は基本的には図９に示すように電池電源ＢＴ２から所定の電圧を＋Ｖを得るための電源回路部２０と、監視領域内の被検知対象の状態を検知するための検知部（例えば人体熱検知センサであれば人体の熱線を検知する人体熱検知部というように検知対象に応じた検知部）２１と、センシングした監視領域内の被検知対象の状態を検知情報としてコントローラ部４へ無線信号で送信する送信回路部２２と、検知部２１の検知信号を処理して、送信回路部２２より無線信号で送信させる信号処理と制御処理を担う信号処理手段としてのＣＰＵ２３と、プログラムやデータを格納するメモリＭ２と、電源電圧を監視し、電源投入時のように電源電圧が所定値以下から所定値を越えるとＣＰＵ２３のリセットを解除する電圧監視リセット回路部２４と、アンテナＡＴ１とで構成される。
【０００５】
一方端末３としては、例えば図８に示すようにコントローラ部４からの無線信号によって送られてくる制御信号を受信する受信回路部３０と、この受信部３０で受信された制御信号により制御される負荷（図８の場合の端末３はブザーボックスを構成するものであって制御される負荷としてブザー３１）と、アンテナＡＴ２とを備え、動作電源を商用電源から得るようになっている。
【０００６】
次に図１０に基づいて従来例のワイヤレスセンサシステムの動作を説明する。
【０００７】
まずコントローラ部４はキー入力回路部４８を通じて警戒モード，非警戒モードの２つの動作モードを切り換え設定できるようになっている。ここで図１０（ａ）に示すように警戒状態のモードに設定されているものとする。
【０００８】
この動作モードの状態で図１０（ｆ）に示すようにあるセンサ部２に備わっている検知部２１が検知信号（人体熱検知部であれば人体検知信号）をＣＰＵ２３へ出力する。ＣＰＵ２３は検知信号が図１０（ｇ）に示すように入力すると、検知信号に基づいて警報を発する状態か否か（人体熱検知部の検知信号であれば人体の有無）を判断し、ＣＰＵ２３は警報を発する状態と判断するとその判断出力信号を図１０（ｈ）に示すように出力し、判断出力信号を受け取った送信回路部２２は無線信号により検知情報を図１０（ｉ）に示すように送信する。
【０００９】
この無線信号により送られた検知情報はコントローラ部４の送受信回路部４０において、図１０（ｂ）に示すように受信され、主ＣＰＵ４１に入力する。主ＣＰＵ４１は検知情報からセンサ部２にて異常が検知されたと判断し、音声制御・出力部４７に対して警報音声の出力を発するように制御信号を図１０（ｃ）に示すように出力し、一定時間スピーカＳＰより警報音声を図１０（ｄ）のように出力させる。同時に電話回線５を通じて警備会社へ図１０（ｅ）に示すよう検知情報を通報する。また送受信回路部４０を通じて制御情報を無線信号により、ブザー３１を負荷とする端末３へ送信し、該端末３のブザー３１を鳴動させて警報音を発生させる。
【００１０】
【発明が解決しようとする課題】
ところで上記従来例システムでは、例えばシステムを設置した家の家人が在宅し、図１０（ａ）のタイミングｔ１に示すようにコントローラ部４が非警戒モードに切り換え設定されても、各センサ部２では引き続いて監視領域の状態を検知する動作を継続している。つまりタイミングｔ１以降において、図１０（ｆ）に示すように上述と同様に検知部２１が検知信号を発生させると、ＣＰＵ２３はその検知信号を入力して（図１０（ｇ））、判断処理を行い、判断出力信号を図１０（ｈ）に示すように送信回路部２２に出力し、送信回路部２２はこれに対応して図１０（ｉ）に示すように検知情報を無線信号で送信する。一方非警戒モードに入ったコントローラ部４では、図１０（ｂ）に示すように送受信回路部４０がセンサ部２からの検知情報を受信しても、主ＣＰＵ４１が受信した検知情報の判断処理をキャンセルし（図１０（ｃ））、スピーカＳＰからの音声発生やブザー３１の鳴動は行われず（図１０（ｄ））、また警備会社への通報も行われない（図１０（ｅ））。
【００１１】
またセンサ部２は図１１（ｆ）に示すように検知部２１から検知信号が出力せず、ＣＰＵ２３に検知信号が図１１（ｇ）に示すように入力しない場合にあっても、図１１（ｈ）に示すようにＣＰＵ２３から一定周期で定期発報信号が送信回路部２２へ出力され、この定期発報信号に対応して送信回路部２２は図１１（ｉ）に示すように定期発報情報をコントローラ部４へ送信するようになっている。コントローラ部４では、動作モードに関係なく定期発報情報を送受信回路部４０が図１１（ｂ）に示すように受信すると、主ＣＰＵ４１は図１１（ｃ）に示すように定期発報情報が受信されたことを認識してメモリＭ１に格納し、この格納した情報を定期或いは不定期に警備会社に図１１（ｅ）に示すように通報し、センサ部２…の動作状況を知らせるようなっている。つまりセンサ部２が定期的に無線信号を送信することで、センサ部２の動作確認が行えるようになっている。尚図１１（ａ）は警戒、非警戒モードの設定状態を示しており、図示例では非警戒モードに設定に設定されている。尚定期発報情報の受信時には音声出力は図１１（ｄ）に示すように出力されない。
【００１２】
上述のように非警戒モードではコントローラ部４はセンサ部２から検知情報をを受信しても処理をキャンセルして警報を発生させないが、センサ部２は非警戒モードに設定されていることを認識することができないため、監視領域の状態を監視しており、そのため例えば人体熱検知センサの場合、監視領域に人体が通る度に、検知情報を送信することになり、そのため電池電源ＢＴ２が無駄に消費され、センサ部２によっては消費電力が大きいため電池寿命が短くなってしまうという問題があった。また上記の定期送信による電池消耗もある。
【００１３】
本発明は、上記の点に鑑みて為されたもので、その目的とするところは非警戒モードでのセンサの無駄な送信動作を止めて無駄な電力消費を無くし、センサの電池電源の消耗を少なくしたワイヤレスセンサシステムを提供することにある。
【００１４】
【課題を解決するための手段】
上記目的を達成するために、請求項１の発明では、無線信号の送受信を行う第１の送受信回路部と、被検知対象の状態を検知する検知部と、該検知部の検知信号に基づく情報を上記第１の送受信回路部から無線信号により送信させる第１の信号処理手段とを備え、電池電源によって動作する１乃至複数のセンサ部と、無線信号の送受信を行う第２の送受信回路部と、該第２の送信回路部で受信した上記センサ部からの情報により判断処理を行う第２の信号処理手段とを備え、該第２の信号処理手段により動作モードが判断処理を行う警戒モード又は該判断処理をキャンセルする非警戒モードに切り換え設定されるコントローラ部により構成されるワイヤレスセンサシステムにおいて、上記コントローラ部の上記第２の信号処理手段には上記動作モードが切り換え設定されると、設定情報を上記第２の送受信回路部より無線信号により送信させる機能を備え、上記センサ部の上記第１の信号処理手段には上記第１の送受信回路部で受信した上記コントローラ部からの設定情報が非警戒モード時には上記検知部の検知に基づく情報の送信を停止させる機能を備え、上記センサ部の電源投入時に当該センサ部の上記第１の送受信回路部から上記コントローラ部へ電源投入した情報を送信させる手段を備え、センサ部から送信された上記電源投入した情報を上記第２の送受信回路部で受信すると、当該センサ部ヘ確認の信号を上記第２の送受信回路部から送信させる手段を上記コントローラ部に備え、上記コントローラ部からの確認の信号を受信した当該センサ部ではその受信タイミングを同期基準タイミングとして、該同期基準タイミングから一定時間毎にコントローラ部からの信号を受信可能なように上記第１の送受信回路部の受信ゲートを設定することを特徴とする。
【００１６】
請求項２の発明では、請求項１の発明において、上記コントローラ部から送信される信号を受信する毎に、上記センサ部では一定時間毎に上記コントローラ部からの信号を受信可能なように第１の送受信回路部の受信ゲートを設定する同期基準タイミングをセットすることを特徴とする。
【００１７】
請求項３の発明では、請求項１の発明において、上記センサ部では、任意の一定時間毎に上記コントローラ部からの信号を受信可能なように、上記第１の送受信回路部の受信ゲートを設定する同期基準タイミングをセットすることを特徴とする。
【００１８】
請求項４の発明では、請求項３の発明において、上記任意の時間を発生する手段として電波時計を利用したことを特徴とする。
【００１９】
請求項５の発明では、請求項３の発明において、上記任意の時間を発生する手段としてＧＰＳの電波を利用したことを特徴とする。
【００２０】
請求項６の発明では、請求項１の発明において、上記コントローラ部では上記動作モードの切り換え設定時に、任意の送信オン／オフ繰り返し周期で設定情報を第２の送受信回路部から任意の時間だけ送信させ、上記センサ部では常時、上記任意の時間よりも短い任意の周期で一定時間だけ上記第１の送受信回路部の受信機能を起動することを特徴とする。
【００２１】
【発明の実施の形態】
以下本発明を一実施形態により説明する。
【００２２】
図２は本実施形態の構成を示しており、本実施形態のシステムは、コントローラ部４’の第２の信号処理手段たる主ＣＰＵ４１に、警戒モード、非警戒モードが切り換え設定されると警戒モード或いは非警戒モードの設定情報を送受信回路部４０から無線信号でセンサ部２へ送信させる制御機能を持たせ、これに対応して、図１に示すようにセンサ部２’にコントローラ部４との間で双方向の情報通信が行うための送受信回路部２５を設け、コントローラ部４から警戒モード、非警戒モード設定情報を受信することができるようにし、またセンサ部２’の第１の信号処理手段たるＣＰＵ２３には非警戒モードの設定情報を受信すると、検知部２１の検知信号が入力しても送受信回路２５から検知情報を送信させる動作をキャンセルさせる機能を持たせ、また非警戒モード状態において警戒モードの設定情報を受信すると、検知部２１の検知信号をＣＰＵ２３が取り込んで判断処理を行うようにした点に特徴がある。
【００２３】
図３はコントローラ部４と、人体熱検知センサを構成するセンサ部２の実体配置図を示しており、センサ部２’は、図１に示す回路部を内蔵した筐体部２６の前面下部に電池電源ＢＴ２の収納部２７を設けて前面から蓋２７ａを取り外すことができるようにし、また収納部２７の上部に人体熱検知部たる検知部２１を設けている。コントローラ部４は扁平な本体１の隅部の側面にアンテナＡＴを垂立させている。
【００２４】
尚その他の構成は従来例と同じであるので、図１、図２において、図８、図９に示す構成要素と同じ構成要素には同じ符号を付し、説明は省略する。
【００２５】
次に本実施形態の動作を図４に基づいて説明する。
【００２６】
まず警戒モードにおいて、センサ部２’の検知部２１が検知信号が図４（ｇ）に示すように出力し、その検知信号がＣＰＵ２３に図４（ｈ）に示すように入力すると、ＣＰＵ２３は判断処理を行い、判断出力信号を図４（ｊ）に示すように送受信回路部２５へ出力する。送受信回路部２５はこれに対応して検知情報を図４（ｋ）に示すように無線信号で送信する。
【００２７】
この無線信号により送られた検知情報はコントローラ部４の送受信回路部４０において、図４（ｃ）に示すように受信され、主ＣＰＵ４１に入力する。主ＣＰＵ４１はこの検知情報に対する判断処理を行い、検知情報からセンサ部２’にて異常が検知されたと判断すると、音声制御・出力部４７に対して警報音声の出力を発するように制御信号を図４（ｄ）に示すように出力し、図４（ｅ）に示すように一定時間スピーカＳＰより警報音声を出力させる。同時に電話回線５を通じて警備会社へ図４（ｆ）に示すよう検知情報を通報する。また制御信号を送受信回路部４０を通じて無線信号により、ブザー３１を負荷とする端末３へ送信し、該端末３のブザー３１を鳴動させて警報音を発生させる。
【００２８】
そして上記のような警戒モードから例えば図４（ａ）のタイミングｔ１でコントローラ部４の動作モードが非警戒モードに切り換え設定されると、コントローラ部４は主ＣＰＵ４１の制御の下で送受信回路部４０から図４（ｂ）に示すように非警戒モードの設定情報を無線信号で各センサ部２’へ送信する。
【００２９】
送受信回路部２５で図４（ｉ）に示すようにコントローラ部４からの非警戒モードの設定情報を受信した各センサ部２’では、ＣＰＵ２３が図４（ｊ）に示すように非警戒モード切り換えを認識し、以後図４（ｇ）に示すように検知部２１で検知信号が出力され、図４（ｈ）に示すようにＣＰＵ２３に入力しても、図４（ｊ）に示すようにＣＰＵ２３は判断処理をキャンセルし、図４（ｋ）に示すように送受信回路部２５からコントローラ部４への検知情報の送信を停止させる。
【００３０】
従って、非警戒モードでのセンサ部２’から無駄な検知情報の送信が停止し、センサ部２’の電池電源ＢＴ２の消耗を少なくすることができるのである。
【００３１】
そして非警戒モードから上述の警戒モードに切り替わったときにはコントローラ部４から警戒モードの設定情報が各センサ部２’へ送信され、この警戒モード切り換えを各センサ部２’のＣＰＵ２３が認識した後は、ＣＰＵ２３は上述のような警戒モード時の動作を開始し、検知部２１の検知信号を有効なものとして処理を行う。
【００３２】
ところで、本実施形態では、センサ部２’の受信ゲートとコントローラ部４の送信タイミングの同期をとるために次にように処理を行う。
【００３３】
まず図５（ｃ）に示すようにセンサ部２’で電源投入が為されると、ＣＰＵ２３のリセットが解除された後一定時間後にＣＰＵ２３の制御の下で送受信回路部２５から図５（ｆ）に示すように電源投入を示す情報が無線信号により送信される。
【００３４】
コントローラ部４は電源投入を示す情報を図５（ａ）に示すように受信すると、同期設定信号を図５（ｂ）ように送受信回路部４０から送信させる。電源投入を示す情報を送信したセンサ部２’は上記同期設定信号を図５（ｅ）に示すように受信すると、その受信を認識した時点（若しくは同期設定信号を受信したから一定時間後）を同期基準タイミングとして同期設定を行う。その後当該センサ部２’の受信ゲートは上記同期タイミングを基準として、定期的（間隔Ｔ１）に送受信回路部２５を起動して受信ゲートを図５（ｄ）に示すように状態に設定し、コントローラ部４からの送信信号に対して待機するようになっている。このように定期的に送受信回路部２５の受信ゲートを開くことで、待機中の無駄な電力消費を少なくすることができ、電池寿命を延ばすことができる。
【００３５】
このセンサ部２’の受信ゲートとコントローラ部４の送信タイミングの同期をとる方法としては次の方法もある。
【００３６】
この方法では、コントローラ部４で定期的に送信させる信号（図６（ｃ）の（イ））や、図６（ａ）のように警戒モード設定や非警戒モード設定が切り換わる度に送信される信号（図６（ｃ）の（ロ）や（ハ））をセンサ部２’が図６（ｄ）に示すように受信する毎に受信ゲートの同期を図６（ｄ）に示すようにとる。
【００３７】
図６（ｂ）はコントローラ部４での受信状態を、同図（ｆ）はセンサ部２’の送信状態を夫々示す。
【００３８】
尚上記のように受信毎に同期基準タイミングを取り直すのではなく、電波時計やＧＰＳの電波を利用して一定時間毎に、或いは受信回数が所定値に達する毎で取り直すようにしても良い。
【００３９】
図６の方法のようにセンサ部２’の受信ゲートとコントローラ部４の送信タイミングの同期の基準タイミングをコントローラ部４からの信号の受信毎（或いは一定時間毎又は受信回数が所定値に達する毎）にとることで、コントローラ部４やセンサ部２’の同期間隔等を設定する為の基準である発振子やクロックのばらつき、経年変化、温度特性等の影響で生じる同期タイミングのズレを防止することができ、無駄にセンサ部２’の送受信回路部２５の受信ゲートを開かせる必要がなく、送受信回路部２５での消費電流を抑えることができ、電池寿命を延ばすことが可能となる。
【００４０】
図５，図６の方法のようにセンサ部２’とコントローラ部４の送信タイミングの同期をとる方法では、クロックのズレ等の余裕を受信ゲートオン区間で設ける必要が有るが、センサ部２’の受信ゲートを最低限必要な区間だけ設ける方法を採用しても良い。
【００４１】
つまりこの方法は、図７（ｃ）に示すようにセンサ部２’の受信ゲートをＣＰＵ２３の制御の下で一定間隔Ｔ１毎に所定時間Ｔ３にオンする。
【００４２】
一方コントローラ部４は図７（ａ）に示すように警戒モードから非警戒モードへ或いはその反対に切り換えられると、センサ部２’の受信ゲートの間隔Ｔ１よりも長い時間Ｔ２だけΔＴ２の間隔で警戒モード又は非警戒モードの設定情報を図７（ｂ）に示すように送信する。尚Ｔ３はＴ３＞ΔＴ２の関係を、またＴ２はＴ２＞Ｔ１＋ΔＴ２の関係を夫々持つ。
【００４３】
これによりセンサ部２’は上記警戒又は非警戒モードの設定情報を図７（ｄ）に示すように受信ゲートがオンする何れかのタイミングで必ず受信することができることになる。
【００４４】
図７に示す方法によれば、センサ部２’の送受信回路部２５の受信ゲートは最低限必要な区間だけあれば良いので無駄に受信ゲートをオンさせる必要が無く、センサ部２’の送受信回路部２５の消費電流を低減することができる。
【００４５】
【発明の効果】
請求項１の発明では、無線信号の送受信を行う第１の送受信回路部と、被検知対象の状態を検知する検知部と、該検知部の検知信号に基づく情報を上記第１の送受信回路部から無線信号により送信させる第１の信号処理手段とを備え、電池電源によって動作する１乃至複数のセンサ部と、無線信号の送受信を行う第２の送受信回路部と、該第２の送信回路部で受信した上記センサ部からの情報により判断処理を行う第２の信号処理手段とを備え、該第２の信号処理手段により動作モードが判断処理を行う警戒モード又は該判断処理をキャンセルする非警戒モードに切り換え設定されるコントローラ部により構成されるワイヤレスセンサシステムにおいて、上記コントローラ部の上記第２の信号処理手段には上記動作モードが切り換え設定されると、設定情報を上記第２の送受信回路部より無線信号により送信させる機能を備え、上記センサ部の上記第１の信号処理手段には上記第１の送受信回路部で受信した上記コントローラ部からの設定情報が非警戒モード時には上記検知部の検知に基づく情報の送信を停止させる機能を備えているので、警戒モード時だけセンサ部からコントローラ部へ検知情報が送信されるので、センサ部の送受信回路部の消費電流を低減でき、その結果センサ部の電池電源の寿命を延ばすことが可能であり、そのた容量の小さい小型な電池電源を使用が可能となってセンサ部の小型化が図れ、更に無駄に送信したときに消費していた電力を他の回路部へ供給することが可能となるので、これまで使用できなかったよう検知部を使用することが可能となり、センサ部群の展開用途が広がるという効果がある。
【００４６】
また請求項１の発明では、上記センサ部の電源投入時に当該センサ部の上記第１の送受信回路部から上記コントローラ部へ電源投入した情報を送信させる手段を備え、センサ部から送信された上記電源投入した情報を上記第２の送受信回路部で受信すると、当該センサ部ヘ確認の信号を上記第２の送受信回路部から送信させる手段を上記コントローラ部に備え、上記コントローラ部からの確認の信号を受信した当該センサ部ではその受信タイミングを同期基準タイミングとして、該同期基準タイミングから一定時間毎にコントローラ部からの信号を受信可能なように上記第１の送受信回路部の受信ゲートを設定するので、送受信回路部の消費電流をより低減でき、電池電源の寿命を延ばすことが可能となる。
【００４７】
請求項２の発明では、請求項１の発明において、上記コントローラ部から送信される信号を受信する毎に、上記センサ部では一定時間毎に上記コントローラ部からの信号を受信可能なように第１の送受信回路部の受信ゲートを設定する同期基準タイミングをセットするので、また請求項３の発明は、請求項１の発明において、上記センサ部では、任意の一定時間毎に上記コントローラ部からの信号を受信可能なように、上記第１の送受信回路部の受信ゲートを設定する同期基準タイミングをセットするので、センサ部の同期間隔等を設定する為の基準である発振子やクロックのばらつき、経年変化、温度特性等の影響で生じる同期タイミングのズレを防止することができ、無駄にセンサ部の送受信回路部の受信ゲートを開かせる必要がなく、センサ部の送受信回路部での消費電力を更に抑えることができ、一層電池電源の寿命を延ばすことが可能となるという効果がある。
【００４８】
請求項４の発明は、請求項３の発明において、上記任意の時間を発生する手段として電波時計を利用したので、また請求項５の発明は、請求項３の発明において、上記任意の時間を発生する手段としてＧＰＳの電波を利用したので、精度良い同期基準タイミングの取り直しができるという効果がある。
【００４９】
請求項６の発明では、請求項１の発明において、上記コントローラ部では上記動作モードの切り換え設定時に、任意の送信オン／オフ繰り返し周期で設定情報を第２の送受信回路部から任意の時間だけ送信させ、上記センサ部では常時、上記任意の時間よりも短い任意の周期で一定時間だけ上記第１の送受信回路部の受信機能を起動するので、センサ部の同期間隔等を設定する為の基準であるクロックのずれ等の余裕を受信ゲートのオン区間で設ける必要がなくなり、センサ部の受信ゲートを最低限必要な区間だけあれば良く、そのため無駄に受信ゲートをオンさせる必要が無い分、センサ部の送受信回路部の消費電力をより一層低減できるという効果がある。
【図面の簡単な説明】
【図１】本発明の一実施形態に用いるセンサ部の構成図である。
【図２】同上のシステム全体の構成図である。
【図３】同上のコントローラ部とセンサ部の実体配置を示す斜視図である。
【図４】同上の動作説明用タイミングチャートである。
【図５】同上のコントローラ部の送信とセンサ部の受信との同期基準タイミングの設定方法の動作説明用タイミングチャートである。
【図６】同上の同期基準タイミングの別の設定方法の動作説明用タイミングチャートである。
【図７】同上のコントローラ部の送信とセンサ部の受信のタイミングのとりかたの他の方法の動作説明用タイミングチャートである。
【図８】従来例のシステム全体の構成図である。
【図９】同上に用いるセンサ部の構成図である。
【図１０】同上の動作説明用タイミングチャートである。
【図１１】同上の定期発報時の動作説明用タイミングチャートである。
【符号の説明】
２’  センサ部
２０  電源回路部
２１  検知部
２３  ＣＰＵ
２４  電圧監視リセット回路部
２５  送受信回路部
ＢＴ２  電池電源
ＡＴ１  アンテナ
【図１】
0004665349.tif 000002
【図２】
0004665349.tif 000003
【図３】
0004665349.tif 000004
【図４】
0004665349.tif 000005
【図５】
0004665349.tif 000006
【図６】
0004665349.tif 000007
【図７】
0004665349.tif 000008
【図８】
0004665349.tif 000009
【図９】
0004665349.tif 000010
【図１０】
0004665349.tif 000011
【図１１】
0004665349.tif 000012